(57)【要約】【課題】アダプター１０と混注部材２０の液体流路ＬＰの開閉操作のメリハリ（区別）を明瞭にすることができる接続器具（１、１´）を提供すること。【解決手段】接続アダプタ１０と接続カバー（５、５´）とを有する。接続アダプタ１０は接続部１３に、末端ＤＥ側寄りにフランジ１２を形成し、当該フランジ１２は、側部Ｓの一方向に、係止部１２Ｋを突設している。接続カバー（５、５´）は上部５Ｕに、上部Ｕ側から下部Ｄ側に亘って、側部Ｓの一方向に溝５Ｍを形成し、当該溝５Ｍは、上部溝５ＭＵ、中央溝５ＭＭ及び下部溝５ＭＤを有する。上部溝５ＭＵの一端部と中央溝５ＭＭの一端部との間に上部ストッパー５ＭＳＵを形成し、中央溝５ＭＭの一端部と下部溝５ＭＤの一端部との間に下部ストッパー５ＭＳＤを形成している。【選択図】図１
2015136551.tif 000002
【特許請求の範囲】
【請求項１】
少なくとも接続アダプタ（１０）と接続カバー（５、５´）とを有し、
前記接続アダプタ（１０）は、末端部（１１）と接続部（１３）とを有し、
前記接続カバー（５、５´）は、上部（Ｕ）と下部（Ｄ）とを有し、
前記接続アダプタ（１０）の接続部（１３）は、末端（ＤＥ）側寄りに、フランジ（１２）を形成し、当該フランジ（１２）は、側部（Ｓ）の一方向に、係止部１２Ｋを突設し、
前記接続カバー（５、５´）の上部（５Ｕ）は、上部（Ｕ）側から下部（Ｄ）側に亘って、側部（Ｓ）の一方向に、溝（５Ｍ）を形成し、
前記溝（５Ｍ）は、上部溝（５ＭＵ）、中央溝（５ＭＭ）及び下部溝（５ＭＤ）を有し、
上部溝（５ＭＵ）の一端部と中央溝（５ＭＭ）の一端部との間に上部ストッパー（５ＭＳＵ）を形成し、  
中央溝（５ＭＭ）の一端部と下部溝（５ＭＤ）の一端部との間に下部ストッパー（５ＭＳＤ）を形成し、
前記接続アダプタ（１０）のフランジ（１２）の係止部（１２Ｋ）と、前記接続カバー（５、５´）の上部（５Ｕ）の上部溝（５ＭＵ）を、側部（Ｓ）の一方向に位置にあわせて接続して第一状態とし、
前記接続アダプタ（１０）を、側部（Ｓ）の一方向から他の一方向の位置へ回転させて、前記係止部（１２Ｋ）を、前記上部ストッパー（５ＭＳＵ）を通過させ、さらに下部（Ｄ）方向へ移動させることにより中間状態とし、
前記接続アダプタ（１０）を、側部（Ｓ）の一方向から他の一方向の位置へ回転させて、前記係止部（１２Ｋ）を、前記下部ストッパー（５ＭＳＤ）を通過させ、下部溝（５ＭＤ）に係止することにより第二状態とすることができる、ことを特徴とする接続器具（１、１´）。
【請求項２】
上部溝（５ＭＵ）は、側部（Ｓ）の一方向から見て「略逆Ｌ字」を有し、
中央溝（５ＭＭ）及び下部溝（５ＭＤ）は、側部（Ｓ）の一方向から見て「略逆Ｌ字」を有し、
前記上部溝（５ＭＵ）の側部（Ｓ）方向の一端部と、前記中央溝（５ＭＭ）の上部（Ｕ）方向の一端部を繋げることにより、
上部溝（５ＭＵ）、中央溝（５ＭＭ）及び下部溝（５ＭＤ）は、「略Ｗ状」の形態を有することを特徴とする請求項１に記載の接続器具（１、１´）。
【請求項３】
下部ストッパー（５ＭＳＤ）の上部（Ｕ）−下部（Ｄ）方向の大きさは、上部ストッパー（５ＭＳＵ）よりも、大きく形成したことを特徴とする請求項１または請求項２に記載の接続器具（１、１´）。
【請求項４】
前記接続アダプタ（１０）と前記接続カバー（５、５´）に加えて、混注部材（２０）を有し、
前記混注部材（２０）は、少なくともポート（２１）とチューブ接続部（２２）とを有し、
前記ポート（２１）は、内部に栓体（３０）を収納し、
前記接続カバー（５、５´）の下部（５Ｄ）は、内周に接続部（５Ｓ）を形成し、
前記ポート（２１）は、外周に接続部（２１Ｓ）を形成し、
前記接続カバー（５、５´）を前記ポート（２１）に装着できるように形成した、
ことを特徴とする請求項１から請求項３のいずれか１項に記載の接続器具（１、１´）。
【請求項５】
前記混注部材（２０）は、ポート（２１）と本体（２０Ｈ）との間で、側部（Ｓ）の二方向に一対の突起（２１Ｔ）を形成し、
前記接続カバー（５´）は、側部（Ｓ）の二方向に側部開口（５ＯＳ）を形成し、他の側部（Ｓ）の二方向に一対の側壁（５ＳＷ）を有し、
前記一対の側壁（５ＳＷ）の下部（Ｄ）に、一対の溝（５ＭＤ）を形成し、
前記一対の突起（２１Ｔ）を、前記一対の溝（５ＭＤ）に係合することにより
前記接続カバー（５´）を前記ポート（２１）に装着できるように形成した、
ことを特徴とする請求項１から請求項４のいずれか１項に記載の接続器具（１´）。
【発明の詳細な説明】
【技術分野】
【０００１】
本発明は、薬液等を注入する接続器具の改良に関するもので、接続アダプタを確実に混注部材のポートに接続・固定できる接続器具に関する。
本発明の接続器具は、血液回路、薬液容器、輸血・輸液セット等の医療用具に使用される。
【背景技術】
【０００２】
特許文献１には、基端部に外部を遮断するゴム状弾性体が取り付けられた薬液流入口を有する混注部と、内腔内にゴム状弾性体〈１６〉に穿刺される針部を有し、内腔内に混注部の基端部が着脱可能かつ摺動および回動可能に接続されるコネクター〈１〉とを備えている接続器具の発明が記載されている。（特許文献１に記載の符号は〈  〉を付けた。）
混注部の基端部の外壁に突起部〈１８〉を設けるとともに、コネクターの外周部に、突起部〈１８〉が係止される少なくとも２個の係止孔〈５ｂ、５ｃ〉を有し、先端部が開口された係合部〈５〉を設け、突起部の係止孔への係止位置により、針部の先端部のゴム状弾性体への挿入深さを少なくとも２段階に設定できるようにしている。
当該接続器具は、コネクター〈１〉を混注部に深く接続させたときに、コネクターの針部の先端部が混注部のゴム状弾性体を貫通して混注部の内腔内に位置し、コネクターを混注部に浅く接続させたときに、コネクターの針部の先端部が混注部のゴム状弾性体内に位置して針部の先端部をゴム状弾性体により閉塞するようにした接続器具である。
コネクターの係合部〈５〉を、針部の挿入方向とほぼ平行で先端部が開口されたほぼＩ字状の溝部〈５ａ、１０ａ、２０ａ、３０ａ〉と、溝部の基端部に溝部と直交する方向に設けられた第１の係止孔〈５ｂ、１０ｂ、２０ｂ、３０ｂ〉と、溝部のほぼ中間部に溝部と直交しかつ前記第１の係止孔と同方向または反対方向に設けた第２の係止孔〈５ｃ、１０ｃ、２０ｃ、３０ｃ〉とにより構成した接続器具である。
【０００３】
特許文献２には、ロック式ニードルレス混注管からなる接続器具の発明が記載されている。（特許文献２に記載の符号は〈  〉を付けた。）
当該接続器具は、閉塞孔を備えた弁〈２〉と、弁を押さえる内筒〈３〉を内在する側管〈１２〉を有するＴ字管〈１〉からなる。
側管〈１２〉は本体キャップ〈４〉を有し、キャップの中心にコネクター挿入孔〈８〉が設けられている。挿入孔〈８〉を通じて側管〈１２〉にニードルレスシリンジを接続するコネクター〈５〉を有する。
コネクター〈５〉のシリンジ接続部〈５４〉の外壁の下端に相対する突起〈５１、５２、５３〉と、内筒〈３〉の内壁には、突起〈５１、５２、５３〉と係合されて、コネクターが上下に移動する誘導溝〈３３〉が垂直に設けられている。
さらに誘導溝と連結し、突起が係合されて、コネクターが水平に回転する上部〈３４ａ、３４ｂ〉及び下部〈３５〉のロック溝が水平に設けられている。
コネクターは、下動時にコネクターの先端に有する穿刺突起〈５３〉が弁を突き刺す。
【先行技術文献】
【特許文献】
【０００４】
【特許文献１】特許第４０７５９７２号公報（特許請求の範囲、図面）
【特許文献２】特許第３７６１８５４号公報（特許請求の範囲、図面）
【発明の概要】
【発明が解決しようとする課題】
【０００５】
特許文献１に記載の発明は、フード部〈２〉に（貫通した）Ｉ字状の溝部〈５ａ〉を形成し、Ｉ字状の溝部〈５ａ〉に、第１の係止孔〈５ｂ〉と第２の係止孔〈５ｃ〉を連続して形成し、第１の係止孔〈５ｂ〉と第２の係止孔〈５ｃ〉が近接し、直線状に配列されているので、開閉操作のメリハリ（区別）がつけにくいという課題があった。
【０００６】
特許文献２に記載の発明は、側管〈１２〉と本体キャップ〈４〉で囲まれる空間内に、内筒〈３〉を配置し、内筒〈３〉でコネクタ〈５〉のロック（固定）を制御するようにしているので、構成部品の増加、形状構造の複雑化、成形精度の難化、コストアップを招くという課題があった。
そこで、本発明者は以上の課題を解決するために鋭意検討を重ねた結果、次の発明に到達した。
【課題を解決するための手段】
【０００７】
［１］本発明は、少なくとも接続アダプタ（１０）と接続カバー（５、５´）とを有し、
前記接続アダプタ（１０）は、末端部（１１）と接続部（１３）とを有し、
前記接続カバー（５、５´）は、上部（Ｕ）と下部（Ｄ）とを有し、
前記接続アダプタ（１０）の接続部（１３）は、末端（ＤＥ）側寄りに、フランジ（１２）を形成し、当該フランジ（１２）は、側部（Ｓ）の一方向に、係止部１２Ｋを突設し、
前記接続カバー（５、５´）の上部（５Ｕ）は、上部（Ｕ）側から下部（Ｄ）側に亘って、側部（Ｓ）の一方向に、溝（５Ｍ）を形成し、
前記溝（５Ｍ）は、上部溝（５ＭＵ）、中央溝（５ＭＭ）及び下部溝（５ＭＤ）を有し、
上部溝（５ＭＵ）の一端部と中央溝（５ＭＭ）の一端部との間に上部ストッパー（５ＭＳＵ）を形成し、  
中央溝（５ＭＭ）の一端部と下部溝（５ＭＤ）の一端部との間に下部ストッパー（５ＭＳＤ）を形成し、
前記接続アダプタ（１０）のフランジ（１２）の係止部（１２Ｋ）と、前記接続カバー（５、５´）の上部（５Ｕ）の上部溝（５ＭＵ）を、側部（Ｓ）の一方向に位置にあわせて接続して第一状態とし、
前記接続アダプタ（１０）を、側部（Ｓ）の一方向から他の一方向の位置へ回転させて、前記係止部（１２Ｋ）を、前記上部ストッパー（５ＭＳＵ）を通過させ、さらに下部（Ｄ）方向へ移動させることにより中間状態とし、
前記接続アダプタ（１０）を、側部（Ｓ）の一方向から他の一方向の位置へ回転させて、前記係止部（１２Ｋ）を、前記下部ストッパー（５ＭＳＤ）を通過させ、下部溝（５ＭＤ）に係止することにより第二状態とすることができる接続器具（１、１´）を提供する。
【０００８】
［２］本発明は、上部溝（５ＭＵ）は、側部（Ｓ）の一方向から見て「略逆Ｌ字」を有し、
中央溝（５ＭＭ）及び下部溝（５ＭＤ）は、側部（Ｓ）の一方向から見て「略逆Ｌ字」を有し、
前記上部溝（５ＭＵ）の側部（Ｓ）方向の一端部と、前記中央溝（５ＭＭ）の上部（Ｕ）方向の一端部を繋げることにより、
上部溝（５ＭＵ）、中央溝（５ＭＭ）及び下部溝（５ＭＤ）は、「略Ｗ状」の形態を有する［１］に記載の接続器具（１、１´）を提供する。
［３］本発明は、下部ストッパー（５ＭＳＤ）の上部（Ｕ）−下部（Ｄ）方向の大きさは、上部ストッパー（５ＭＳＵ）よりも、大きく形成した［１］または［２］に記載の接続器具（１、１´）を提供する。
【０００９】
［４］本発明は、前記接続アダプタ（１０）と前記接続カバー（５、５´）に加えて、混注部材（２０）を有し、
前記混注部材（２０）は、少なくともポート（２１）とチューブ接続部（２２）とを有し、
前記ポート（２１）は、内部に栓体（３０）を収納し、
前記接続カバー（５、５´）の下部（５Ｄ）は、内周に接続部（５Ｓ）を形成し、
前記ポート（２１）は、外周に接続部（２１Ｓ）を形成し、
前記接続カバー（５、５´）を前記ポート（２１）に装着できるように形成した［１］から［３］のいずれか１に記載の接続器具（１、１´）を提供する。
［５］本発明は、前記混注部材（２０）は、ポート（２１）と本体（２０Ｈ）との間で、側部（Ｓ）の二方向に一対の突起（２１Ｔ）を形成し、
前記接続カバー（５´）は、側部（Ｓ）の二方向に側部開口（５ＯＳ）を形成し、他の側部（Ｓ）の二方向に一対の側壁（５ＳＷ）を有し、
前記一対の側壁（５ＳＷ）の下部（Ｄ）に、一対の溝（５ＭＤ）を形成し、
前記一対の突起（２１Ｔ）を、前記一対の溝（５ＭＤ）に係合することにより
前記接続カバー（５´）を前記ポート（２１）に装着できるように形成した［１］から［４］のいずれか１に記載の接続器具（１´）を提供する。
【発明の効果】
【００１０】
本発明の接続器具（１、１´）によれば、
［１］アダプター１０と接続カバー（５、５´）の所定の位置に、相互に係合できる所定形状の係止部１２Ｋと溝５Ｍを形成している。アダプター１０の最初の側部Ｓ方向の回転により、第一状態（接続アダプタ１０、１０´を、接続カバー５、５´に装着した状態で、接続アダプタ１０の末端部１１が、栓体３０を貫通していない状態）とし、アダプター１０の二度目の側部Ｓ方向の回転により、第二状態（接続アダプタ１０を、混注部材２０方向に垂下して、接続アダプタ１０の末端部１１を、栓体３０に貫通させた状態、接続アダプタ１０を混合注部材２０に固定した状態）に係止ないし固定することができる。
［２］［１］により、特許文献１に記載の発明よりも（１）アダプター１０と混注部材２０の液体流路ＬＰの開閉操作のメリハリ（区別）を明瞭にすることができる。
（２）特許文献２に記載の発明のように、コネクタ〈５〉のロック（固定）を制御する新たな構成部品を設けなくても、液体流路ＬＰの開閉操作を行うことができる。
【図面の簡単な説明】
【００１１】
【図１】図１は、本発明（第一実施形態、以下図２から図４、図６から図１６まで同じ）の接続器具を、上部Ｕ‐第３側部Ｓ３方向から見た分解斜視図である。
【図２】図２は、図１の第１側部Ｓ１−第２側部Ｓ２断面図、第３側部Ｓ３方向から見た側面図である。
【図３】図３は、接続アダプタ１０を、第２側部Ｓ２−第３側部Ｓ３−上部Ｕ方向から見た斜視図である。
【図４】図４は、混注部材を第１側部Ｓ１−第３側部Ｓ３−上部Ｕ方向から見た斜視図である。
【図５】図５は、キャップ２１Ｃを上部Ｕ‐第３側部Ｓ３方向から見た斜視図である。
【図６】図６は、栓体３０を上部Ｕ‐第３側部Ｓ３方向から見た斜視図である。
【図７】図７は、接続カバー５を、上部Ｕ−第３側部Ｓ３方向から見た斜視図である。
【図８】図８は、本発明の接続器具の第一状態（接続アダプタ１０を、接続カバー５に装着した状態）を、第３側部Ｓ３方向から見た側面図である。
【図９】図９は、本発明の接続器具の第一状態を、第２側部Ｓ２方向から見た側面図である。
【図１０】図１０は、本発明の接続器具の第一状態の第１側部Ｓ１−第２側部Ｓ２断面図、第３側部Ｓ３（第４側部Ｓ４）方向から見た側面図である。
【図１１】図１１は、本発明の接続器具の第一状態の第３側部Ｓ３−第４側部Ｓ４断面図、第１側部Ｓ１（第２側部Ｓ２）方向から見た側面図である。
【図１２】図１２は、本発明の接続器具の第二状態（第一状態からさらに接続アダプタ１０を下部Ｄ方向に移動させて、混合注部材２０に固定した状態）を第３側部Ｓ３方向から見た側面図である。
【図１３】図１３は、本発明の接続器具の第二状態を第２側部Ｓ２方向から見た側面図である。
【図１４】図１４は、本発明の接続器具の第二状態の第１側部Ｓ１−第２側部Ｓ２断面図、第３側部Ｓ３（第４側部Ｓ４）方向から見た側面図である。
【図１５】図１５は、本発明の接続器具の第二状態の第３側部Ｓ３−第４側部Ｓ４断面図、第１側部Ｓ１方向から見た側面図である。
【図１６】図１６は、本発明の接続器具の第二状態の第３側部Ｓ３−第４側部Ｓ４断面図、第２側部Ｓ２方向から見た側面図である。
【図１７】図１７は、本発明（第二実施形態、以下図１８から図２４、前記図５も同じ）の接続器具を、上部Ｕ‐第３側部Ｓ３方向−第１側部Ｓ１方向から見た分解斜視図である。
【図１８】図１８は、図１７の第３側部Ｓ３−第４側部Ｓ４断面図、第１側部Ｓ１-第３側部Ｓ３−上部Ｕ方向から見た斜視図である。
【図１９】図１９は、接続カバー５を、上部Ｕ−第３側部Ｓ３−第１側部Ｓ１方向から見た斜視図である。
【図２０】図２０は、本発明の接続器具の第一状態を、第１側部Ｓ１方向から見た側面図である。
【図２１】図２１は、本発明の接続器具の第一状態の第３側部Ｓ３−第４側部Ｓ４断面図、第１側部Ｓ１（第２側部Ｓ２）方向から見た側面図である。
【図２２】図２２は、本発明の接続器具の第二状態を上部Ｕ‐第３側部Ｓ３方向−第１側部Ｓ１方向から見た斜視図である。
【図２３】図２３は、本発明の接続器具の第二状態の第３側部Ｓ３−第４側部Ｓ４断面図、第１側部Ｓ１−第３側部Ｓ３方向から見た斜視図である。
【図２４】図２４は、本発明の接続器具の第二状態の第３側部Ｓ３−第４側部Ｓ４断面図、第１側部Ｓ１（第２側部Ｓ２）方向から見た側面図である。
【発明を実施するための形態】
【００１２】
以下、図面を参照しながら本発明を詳細に説明する。
以下、符号の煩雑化を避けるため、例えば「接続器具１、１´」等とあるのは、単に「接続器具１」等と記載する。「接続器具１」等と記載しても、「接続器具１´」等に共通する部分は、「接続器具１´」も含む。
以下、本発明を明確に説明するため、次の定義をおく。
（定義１）本発明の接続器具１、１´において、「第一状態」とは、例えば図８〜図１１に示すように、接続アダプタ１０、１０´を、接続カバー５、５´に装着した状態で、接続アダプタ１０の末端部１１が、栓体３０を貫通していない状態を意味する。
【００１３】
（定義２）「第二状態」とは、例えば図１２〜図１６に示すように、接続アダプタ１０を、混注部材２０方向に垂下して、接続アダプタ１０の末端部１１を、栓体３０に貫通させた状態、接続アダプタ１０を混合注部材２０に固定した状態を意味する。
さらにいえば、末端部１１の開口部１１Ｏが、混注部材２０の本体２０Ｈの液体流路ＬＰ内と連通した状態［液体（血液、薬液等）を注入できる状態を意味する。
（定義３）「中間状態（移行状態ともいう）」とは、「第一状態」から「第二状態」へ移行する途中の状態を意味する。
【００１４】
（定義４）本発明の接続アダプタ１０で、「基端ＰＥ側（または方向という場合がある）」とは、例えば図３に示すように、接続部１３の突起部１３Ｔ側の端部を意味する。
「末端ＤＥ側（または方向という場合がある）」とは、図３に示すように、接続部１３の突起部１３Ｔ側の端部と反対側の端部を意味する。さらにいえば、末端部１１側の端部を意味する。
【００１５】
（定義５）本発明の接続器具１（接続カバー５、接続アダプタ１０及び混注部材２０）で、混注部材２０で、「上部Ｕ側（または方向という場合がある）」とは、例えば図１に示すように、図の上側（接続部１３の突起部１３Ｔ側の端部）を意味する。
「下部Ｄ側（または方向という場合がある）」とは、例えば図１に示すように、混注部材２０の下部（底部）側の端部を意味する。
【００１６】
（定義６）本発明の接続器具１（接続カバー５、接続アダプタ１０及び混注部材２０）で、「第１側部Ｓ１側（または方向という場合がある）」とは、例えば図１に示すように、図の右側の方向（図の破線矢印参照）を意味する。
「第２側部Ｓ２側（または方向という場合がある）」とは、例えば図１に示すように、図の左側の方向（図の破線矢印参照）を意味する。
「第３側部Ｓ３側（または方向という場合がある）」とは、例えば図１に示すように、図の正面側の方向（図の破線矢印参照）を意味する。
「第４側部Ｓ４側（または方向という場合がある）」とは、例えば図１に示すように、図の背面側の方向（図の破線矢印参照）を意味する。
【００１７】
また側部Ｓ方向とは、前記第１側部Ｓ１から第４側部Ｓ４の全ての方向を含み、側部Ｓの一方向とは、前記第１側部Ｓ１から第４側部Ｓ４方向の一部の方向、例えば第１側部Ｓ１方向、第１側部Ｓ１と第２側部Ｓ２方向の間のいずれかの一方向を意味する。側部Ｓの二方向とは、例えば第１側部Ｓ１−第２側部Ｓ２方向、または第３側部Ｓ３−第４側部Ｓ４方向の二方向を意味する。
前記第１〜第４側部Ｓ１〜Ｓ４はあくまでも、説明の便宜上、位置を仮に特定したにすぎない。例えば見る方向を変えて、第１側部Ｓ１を第２側部Ｓ２と見る場合は、第２側部Ｓ２は第１側部Ｓ１となる。第３側部Ｓ３を第４側部Ｓ４と見る場合は、第４側部Ｓ４は第３側部Ｓ３となる。
発明の説明の便宜上、第一実施形態の接続器具１では、図１及び後述するように接続カバー５は、上部５Ｕの溝５Ｍを形成した方向、接続アダプタ１０は、係止部１２Ｋを形成した方向を第３側部Ｓ３と記載した。
第二実施形態の接続器具１´では、図１７及び後述するように接続カバー５は、上部５Ｕの溝５Ｍを形成した方向、接続アダプタ１０は、係止部１２Ｋを形成した方向を第１側部Ｓ１と記載した。
なお溝５Ｍの各部、上部溝５ＭＵ、中央溝５ＭＭ及び下部溝５ＭＤの形成位置・方向の説明では、説明の便宜上、第１側部Ｓ１、第２側部Ｓ２、上部Ｕ及び下部Ｄ側のみで記載し、これらの中間位置の第３側部Ｓ３、第４側部Ｓ４はあえて使用しなかった。
混注部材２０は、一対のチューブ接続部２２を形成した方向を、第１側部Ｓ１−第２側部Ｓ２と記載した。
【００１８】
（定義７）
本発明の接続アダプタ１０で、「長手方向」とは、「接続アダプタ１０」の長尺方向（長い方向）を意味する。
本発明の混注部材２０で、「長手方向」とは、「チューブ接続部２２」の長尺方向を意味する。
本発明の図面及び発明の説明の中で、例えば図３に例示するように、第１側部Ｓ１側の・・・を「・・・Ｓ１」、第２側部Ｓ２側の・・・を、「・・・Ｓ２」と記載した。
なおこれらの・・・並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１９】
［接続器具１、１´］
本発明（第一実施形態、第二実施形態）の接続器具１、１´について、以下、図面を参照しながら説明する。
図１から図４、図６から図１６は、第一実施形態の接続器具１、図１７から図２４、図５は、第二実施形態の接続器具１´を例示している。
第二実施形態の接続器具１´が、第一実施形態の接続器具１と主に異なる部材は、接続カバー５´である。
【００２０】
以下、発明の説明、図面において、説明、符号の煩雑化を防ぐために、主として第一実施形態の接続器具１について説明する。第二実施形態の接続器具１´は、第一実施形態の接続器具１と異なる部分（形状・構造）、操作方法のみ説明する。
第二実施形態の接続器具１´は、第一実施形態の接続器具１と異なる部材のみに、「´」、または異なる符号を記載した。共通する部材の符号はそのままとした。
【００２１】
本発明の第一実施形態の接続器具１は、少なくとも接続カバー５と接続アダプタ１０を有する。さらに加えて混注部材２０とを有する。
第二実施形態の接続器具１´は、少なくとも接続カバー５´と接続アダプタ１０を有する。さらに加えて混注部材２０及びキャップ２１Ｃとを有する。
第一実施形態の接続器具１と第二実施形態の接続器具１´との違いは、以下の通りである。
第一実施形態の接続器具１は、（キャップ２１Ｃのない）混注部材２０の上部Ｕ側に、直接、接続カバー５を装着し、当該接続カバー５に接続アダプター１０を接続するものである。第一実施形態の接続器具１は、接続カバー５、接続アダプタ１０及び混注部材２０の特注品として販売するものである。
【００２２】
これに対して第二実施形態の接続器具１´は、混注部材２０のキャップ２１Ｃを覆うように、接続カバー５´を装着し、当該接続カバー５´に接続アダプター１０を接続するものである。
第二実施形態の接続器具１´中の接続カバー５´及び接続アダプタ１０は、通常使用されている汎用品の（キャップ２１Ｃを装着した）混注部材２０とは別部品として、単独で販売されるものである。
【００２３】
[接続アダプタ１０]
接続アダプタ１０は、図３に例示するように、いわゆる「略管状」の形態を有する。
接続アダプタ１０は、上部Ｕから下部Ｄ方向に向けて、接続部１３、径（側部Ｓ方向の長さまたは大きさともいう）が最も小さい末端部１１（針部または鈍針ともいう）を有する。末端部１１は、下部Ｄ側に向けて下るテーパーを有し、いわゆる「略漏斗状」に形成している。
接続部１３の下部Ｄ（末端ＤＥ）寄りに、径の最も大きなフランジ１２を形成している。
末端部１１は末端ＤＥ側に、血液、薬液等の液体注入口１１Ｏ（開口ともいう）を有する。
末端部１１は基端ＰＥ側に、接続部１３を形成している。
接続部１３は基端ＰＥ側に、突起部１３Ｔを形成している。
突起部１３Ｔは、シリンジの接続部（ルアーロック部の螺子状の溝部を意味する。図示せず。）と接続できるように、いわゆる「螺子状」に形成している。
【００２４】
フランジ１２は、側部Ｓの一方向（図１では第３側部Ｓ３、図１７では第１側部Ｓ１）に、係止部１２Ｋを突設している。
図１、図３に例示するように、係止部１２Ｋは、第１側部Ｓ１（第２側部Ｓ２）方向からみて、いわゆる「略矩形状」、第３側部Ｓ３（第４側部Ｓ４）方向からみて、いわゆる「略円形状」、立体的（三次元的）に見て、いわゆる「略円柱状」に形成している。
【００２５】
係止部１２Ｋは、後述するように、接続アダプタ１０の側部Ｓ方向の回転ともに、
接続カバー５の上部５Ｕの溝５Ｍ（上部溝５ＭＵ、中央溝５ＭＭ、下部溝５ＭＤ）に挿入され、溝５Ｍの途中に形成された突起（上部突起５ＭＫＵ、下部突起５ＭＭＤ）により側部Ｓ方向への移動を阻止される。
係止部１２Ｋは、溝５Ｍ、突起（上部突起５ＭＫＵ、下部突起５ＭＭＤ）とともに
接続アダプタ１０を、接続カバー５に一時係止ないし固定する機能を有する。
【００２６】
[接続カバー５]
接続カバー５は、図７に示すように、いわゆる「略円筒状」の形態を有し、上部５Ｕと下部５Ｄを有する。
上部Ｕ側の略中央に上部開口部５ＯＵを有する。下部Ｄ側は開口している。
径（側部Ｓ方向の長さまたは大きさ）は、下部５Ｄのほうが、上部５Ｕよりも長く（大きく）形成している。
上部５Ｕは、側部Ｓの一方向（図１では第３側部Ｓ３、図１７では第１側部Ｓ１）に、溝５Ｍを形成している。
溝５Ｍは、図７に示すように、上部Ｕから下部Ｄ方向に向けて、上部溝５ＭＵ、中央溝５ＭＭ及び下部溝５ＭＤを有する。
【００２７】
上部溝５ＭＵは、第３側部Ｓ３方向から見て、いわゆる「略逆Ｌ字状」に形成している。
中央溝５ＭＭは、第３側部Ｓ３方向から見て、上部Ｕから下部Ｄ方向に、いわゆる「略矩形状」に形成している。
下部溝５ＭＤは、第３側部Ｓ３方向から見て、第１側部Ｓ１−第２側部Ｓ２方向に、いわゆる「略矩形状」に形成している。
上部溝５ＭＵの一端部（上部Ｕ側）は、上部開口部５ＯＵと連通し、一端部（下部Ｄ−第２側部Ｓ２側）は、中央溝５ＭＭの一端部（上部Ｕ側）と連通している。
中央溝５ＭＭの一端部（上部Ｕ側）は、上部溝５ＭＵの一端部（下部Ｄ−第２側部Ｓ２側）と連通し、他の一端部（下部Ｄ側）は、下部溝５ＭＤの一端部（第１側部Ｓ１側）と連通している。
下部溝５ＭＤの一端部（第１側部Ｓ１側）は、中央溝５ＭＭの一端部（下部Ｄ側）と連通し、他の一端部（第２側部Ｓ２側）は、閉塞している。
【００２８】
上部溝５ＭＵの一端部（下部Ｄ−第２側部Ｓ２側）と中央溝５ＭＭの一端部（上部Ｕ側）との間に、上部ストッパー５ＭＳＵを形成している。
中央溝５ＭＭの一端部（下部Ｄ側）と下部溝５ＭＤの一端部（第１側部Ｓ１側）との間に、下部ストッパー５ＭＳＤを形成している。  
上部ストッパー５ＭＳＵは、第３側部Ｓ３方向から見て、いわゆる「略半円状」に形成している。
下部ストッパー５ＭＳＤは、第３側部Ｓ３方向から見て、いわゆる「略三角形状」に形成している。
下部ストッパー５ＭＳＤは、上部ストッパー５ＭＳＵよりも、上部Ｕ−下部Ｄ方向に大きく形成している。下部ストッパー５ＭＳＤは、第二状態を確実に維持するために、（第一状態を維持する）上部ストッパー５ＭＳＵよりも大きくすることが望ましい。
【００２９】
また中央溝５ＭＭと下部溝５ＭＤは、第３側部Ｓ３方向から繋げて見ると、いわゆる「略逆Ｌ字状」に形成している。
上部溝５ＭＵの「略逆Ｌ字」の一端部（第２側部Ｓ２側）と、中央溝５ＭＭと下部溝５ＭＤの「略逆Ｌ字」の一端部（上部Ｕ側）とを繋げると、溝５Ｍ（上部溝５ＭＵ、中央溝５ＭＭ及び下部溝５ＭＤ）は、第３側部Ｓ３方向から見て、いわゆる「略Ｗ字状」に形成している。
【００３０】
また上部５Ｕは、図７、図１１に示すように内壁の上部Ｕ側（上部溝５ＭＵを形成している箇所を除いて）、いわゆる「略フランジ状または鍔状」の上部内側突起５ＴＵを形成している。
下部５Ｄは、図２に示すように内壁の周囲に接続部５Ｓを形成している。
接続部５Ｓは、（混合注部材２０のポート２１の）接続部２１Ｓ（螺子状の溝部）と接続できるように、いわゆる「螺子状」に形成している。
【００３１】
[接続カバー５´]
第二実施形態の接続カバー５´は、第一実施形態の接続カバー５と比較して、次の点で異なっている。
すなわち、図１９に示すように接続カバー５´は、側部Ｓの二方向（第１側部Ｓ１側と第２側部Ｓ２側）に側部開口５ＯＳを形成し、他の側部Ｓの二方向（第３側部Ｓ３側と第４側部Ｓ４側）に一対の側壁５ＳＷを有する。一対の側壁５ＳＷの下部Ｄ側には、一対の溝５ＭＤを形成している。
【００３２】
［混注部材２０］
例えば混注部材２０は、例えば図１に例示するように、上部Ｕから下部Ｄ方向に向けて、ポート２１、本体２０Ｈ（チューブ接続部２２）及びアダプタ保持部２３を有する。
ポート２１は、外周に接続部２１Ｓを形成している。
接続部２１Ｓは内側に栓体３０（ゴム栓ともいう）を配置する空間を有する。
本体２０Ｈは、第１側部Ｓ１方向と第２側部Ｓ２方向に、チューブ接続部２２を突設している。
【００３３】
ポート２１と本体２０Ｈとの間にフランジ２１Ｆを配置している。
フランジ２１Ｆは、第３側部Ｓ３方向と第４側部Ｓ４方向の下部Ｄに、一対の突起２１Ｔを突設している。
突起２１Ｔは、第二実施形態の接続カバー５´の一対の溝５ＭＤに係止される。第一実施形態の（接続器具１の）フランジ２１Ｆでは、突起２１Ｔは、必ずしも必要ではない。
第一実施形態の接続器具１では、フランジ２１Ｆは、接続カバー５を混注部材２０に装着する際に、接続カバー５の下部５Ｕの下部Ｄ側のストッパーの役割を果たす。
なお第二実施形態の接続器具１´では、第一実施形態の接続器具１のようなストッパーの役割はない。
【００３４】
次に本発明の第一実施形態の接続器具１の操作方法の一例について例示する。
（接続／第一状態）
（１）図１に示すように、接続アダプタ１０の末端部１１を、接続カバー５の上部開口５ＯＵから下部Ｄ方向に差し込むことができるように以下のように位置合わせを行う。
（２）接続アダプタ１０の係止部１２Ｋと、接続カバー５の上部溝５ＭＵの位置をそれぞれ、一方向（略第３側部Ｓ３方向）の位置に合わせる。
（３）接続アダプタ１０の末端部１１を、接続カバー５の上部開口５ＯＵから下部Ｄ方向にそのまま垂下する。
【００３５】
接続アダプタ１０の係止部１２Ｋは、接続カバー５の上部溝５ＭＵの上部Ｕ側から差し込まれる。
図８から図１１に示すように、係止部１２Ｋは、上部ストッパー５ＭＳＵにより、上部溝５ＭＵの下部Ｄ−第２側部Ｓ２側の位置から中央溝５ＭＭの上部Ｕ側に移動するのを阻止される。  
この状態で、接続アダプタ１０は、接続カバー５に一時的に係止ないし固定することができる。
接続アダプタ１０と混注部材２０（本体２０Ｈ）の液体流路ＬＰは遮断状態（閉）となっている。
【００３６】
（中間状態）
さらに接続アダプタ１０を、係止部１２Ｋの位置を基準にして、側部Ｓの一方向（略第１側部Ｓ１）から側部Ｓの一方向（略第２側部Ｓ２方向）に回転させると、係止部１２Ｋは、上部ストッパー５ＭＳＵを通過する。
さらに接続アダプタ１０を、下部Ｄ方向に垂下すると、係止部１２Ｋは、中央溝５ＭＭの上部Ｕ側から下部Ｕ側に移動する。
係止部１２Ｋは、下部ストッパー５ＭＳＤにより、中央溝５ＭＭの下部Ｄ側から、下部溝５ＭＤの第１側部Ｓ１側に移動するのを阻止される。
この状態では、接続アダプタ１０の末端部１１は栓体３０（図１、図６参照、図６では図示せず）の略中央に形成されているスリット（図示せず）を貫通する。
接続アダプタ１０の末端部１１の薬液注入口１１Ｏは、混注部材２０のポート２１
の中央の液体流路ＬＰ内に到達する。
この状態では、接続アダプタ１０と混注部材２０の液体流路ＬＰは連通状態（開）となっている。
【００３７】
（中間状態から第二状態）
さらに、接続アダプタ１０を側部Ｓの一方向（略第１側部Ｓ１側）から側部Ｓの一方向（略第２側部Ｓ２方向）に、回転させると、係止部１２Ｋは、下部ストッパー５ＭＳＤを通過して、中央溝５ＭＭの下部Ｕ側から下部溝５ＭＤ内に移動する。
係止部１２Ｋは、下部ストッパー５ＭＳＤを通過するときに、音をたてて通過するので、作業者は、通過の状況を手の感触で感知することができる。
係止部１２Ｋは、下部ストッパー５ＭＳＤにより、中央溝５ＭＭの下部Ｄ側へ移動するのを阻止される。
この状態で、接続アダプタ１０は接続カバー５に固定される。
この状態で、接続アダプタ１０の末端部１１の薬液注入口１１Ｏより、混注部材２０の本体２０Ｈの液体流路ＬＰ内に液体（血液、薬液等）を注入することができる。
【００３８】
（第二状態から取り外し）
接続アダプタ１０を、側部Ｓの一方向（略第２側部Ｓ２側）から側部Ｓの一方向（略第１側部Ｓ１方向）（逆方向）に回転させると、係止部１２Ｋは、下部ストッパー５ＭＳＤを通過して、下部溝５ＭＤから中央溝５ＭＭの下部Ｄ側に移動する。
接続アダプタ１０を、上部Ｕ方向に引き上げ、さらに側部Ｓの一方向（略第２側部Ｓ２側）から側部Ｓの一方向（略第１側部Ｓ１方向）へ回転させると、係止部１２Ｋは、上部ストッパー５ＭＳＵを通過して、上部溝５ＭＵ内に移動する。
さらに、接続アダプタ１０を、上部Ｕ方向に引き上げると、係止部１２Ｋは、上部溝５ＭＵの上部Ｕ側から離脱し、接続アダプタ１０を、接続カバー５から取り外すことができる。
【００３９】
次に本発明の第二実施形態の接続器具１´の操作方法の一例について例示する。
（接続／第一状態）
（１）図１７に示すように、接続アダプタ１０の末端部１１を、接続カバー５の上部開口５ＯＵから下部Ｄ方向に差し込むことができるように以下のように位置合わせを行う。
（２）接続アダプタ１０の係止部１２Ｋと、接続カバー５の上部溝５ＭＵの位置をそれぞれ、側部Ｓの一方向（略第１側部Ｓ１方向）の位置に合わせる。
（３）接続アダプタ１０の末端部１１を、接続カバー５の上部開口５ＯＵから下部Ｄ方向にそのまま垂下する。
接続アダプタ１０の係止部１２Ｋは、接続カバー５の上部溝５ＭＵの上部Ｕ側から差し込まれる。
【００４０】
図２０から図２１に示すように、係止部１２Ｋは、上部ストッパー５ＭＳＵにより、上部溝５ＭＵの下部Ｄ−第２側部Ｓ２側の位置から中央溝５ＭＭの上部Ｕ側に移動するのを阻止される。  
この状態で、接続アダプタ１０は、接続カバー５に一時的に係止ないし固定することができる。
接続アダプタ１０と混注部材２０（本体２０Ｈ）の液体流路ＬＰは遮断状態（閉）となっている。
【００４１】
（中間状態）
さらに接続アダプタ１０を、係止部１２Ｋの位置を基準にして、側部Ｓの一方向（略第１側部Ｓ１方向）から側部Ｓの一方向（略第２側部Ｓ２方向）に回転させると、係止部１２Ｋは、上部ストッパー５ＭＳＵを通過する。
さらに接続アダプタ１０を、下部Ｄ方向に垂下すると、係止部１２Ｋは、中央溝５ＭＭの上部Ｕ側から下部Ｕ側に移動する。
係止部１２Ｋは、下部ストッパー５ＭＳＤにより、中央溝５ＭＭの下部Ｄから、下部溝５ＭＤの第１側部Ｓ１側に移動するのを阻止される。
この状態では、接続アダプタ１０の末端部１１は栓体３０（図１７、図６参照、図６では図示せず）の略中央に形成されているスリット（図示せず）を貫通する。
接続アダプタ１０の末端部１１の薬液注入口１１Ｏは、混注部材２０のポート２１
の中央の液体流路ＬＰ内に到達する。
この状態では、接続アダプタ１０と混注部材２０の液体流路ＬＰは連通状態（開）となっている。
【００４２】
（中間状態から第二状態）
さらに、接続アダプタ１０を側部Ｓの一方向（略第１側部Ｓ１方向）から側部Ｓの一方向（略第２側部Ｓ２方向）方向に、回転させると、係止部１２Ｋは、下部ストッパー５ＭＳＤを通過して、中央溝５ＭＭの下部Ｕ側から下部溝５ＭＤ内に移動する。
係止部１２Ｋは、下部ストッパー５ＭＳＤを通過するときに、音をたてて通過するので、作業者は、通過の状況を手の感触で感知することができる。
係止部１２Ｋは、下部ストッパー５ＭＳＤにより、中央溝５ＭＭの下部Ｄ側へ移動するのを阻止される。
この状態で、接続アダプタ１０は接続カバー５に固定される。
この状態で、接続アダプタ１０の末端部１１の薬液注入口１１Ｏより、混注部材２０の本体２０Ｈの液体流路ＬＰ内に液体（血液、薬液等）を注入することができる。
【００４３】
（第二状態から取り外し）
接続アダプタ１０を、側部Ｓの一方向（略第２側部Ｓ２方向）から側部Ｓの一方向（略第１側部Ｓ１方向）（逆方向）に回転させると、係止部１２Ｋは、下部ストッパー５ＭＳＤを通過して、下部溝５ＭＤから中央溝５ＭＭの下部Ｄ側に移動する。
接続アダプタ１０を、上部Ｕ方向に引き上げ、さらに側部Ｓの一方向（略第２側部Ｓ２方向）から側部Ｓの一方向（略第１側部Ｓ１方向）へ回転させると、係止部１２Ｋは、上部ストッパー５ＭＳＵを通過して、上部溝５ＭＵ内に移動する。
さらに、接続アダプタ１０を、上部Ｕ方向に引き上げると、係止部１２Ｋは、上部溝５ＭＵの上部Ｕ側から離脱し、接続アダプタ１０を、接続カバー５から取り外すことができる。
【００４４】
本発明の接続アダプタ１０、接続カバー５、５´及び混注部材２０の各構成部材（例えば接続アダプタ１０の係止部１２Ｋ、接続カバー５、５´の溝５Ｍ、上部溝５ＭＵ、
中央溝５ＭＭ、下部溝５ＭＤ、上部ストッパー５ＭＳＵ、下部ストッパー５ＭＳＤ
等は、前記したように相互に係止、係合、誘い（支持、ガイド）等が可能な形態（形状、構造）であって、本発明の目的を達成できる形態であれば、前記した説明、図面に記載したものに限定されない。
【００４５】
（材料）
接続アダプタ１０と、接続カバー５、５´及び混注部材２０の材料は、ポリプロピレン、ポリカーボネート等、射出成形等により一体成形できる材料であれば何でも使用できる。
【符号の説明】
【００４６】
１  接続器具（第一実施形態）
１´接続器具（第二実施形態）
５  接続カバー
５´接続カバー
５Ｕ  上部
５Ｄ  下部
５ＯＵ  上部開口
５Ｍ    溝
５ＭＵ  上部溝
５ＭＭ  中央溝
５ＭＤ  下部溝
５ＭＳＵ  上部ストッパー
５ＭＳＤ  下部ストッパー
５ＴＵ    上部内側突起
５Ｓ      接続部
５ＳＰＵ上部空間
５ＳＰＤ下部空間
５ＳＷ  側壁
５ＯＳ  側部開口
１０    接続アダプタ
１１    末端部   
１１Ｏ  薬液注入口
１２    フランジ
１２Ｋ  係止部
１３    接続部
１３Ｔ  突起部
ＰＥ  基端
ＤＥ  末端
Ｓ１  第１側部
Ｓ２  第２側部
Ｓ３  第３側部
Ｓ４  第４側部
Ｕ    上部
Ｄ    下部
２０    混注部材
２１    ポート
２１Ｈ  （混注部材）本体
２１Ｆ  フランジ
２１Ｃ    キャップ
ＬＰ    液体流路
２１Ｓ  接続部（凹凸、螺子）
２２    チューブ接続部
２１Ｔ  突起
２３    アダプタ保持部
３０    栓体
ＳＬ    スリット
【図１】
2015136551.tif 000003
【図２】
2015136551.tif 000004
【図３】
2015136551.tif 000005
【図４】
2015136551.tif 000006
【図５】
2015136551.tif 000007
【図６】
2015136551.tif 000008
【図７】
2015136551.tif 000009
【図８】
2015136551.tif 000010
【図９】
2015136551.tif 000011
【図１０】
2015136551.tif 000012
【図１１】
2015136551.tif 000013
【図１２】
2015136551.tif 000014
【図１３】
2015136551.tif 000015
【図１４】
2015136551.tif 000016
【図１５】
2015136551.tif 000017
【図１６】
2015136551.tif 000018
【図１７】
2015136551.tif 000019
【図１８】
2015136551.tif 000020
【図１９】
2015136551.tif 000021
【図２０】
2015136551.tif 000022
【図２１】
2015136551.tif 000023
【図２２】
2015136551.tif 000024
【図２３】
2015136551.tif 000025
【図２４】
2015136551.tif 000026